(57)【特許請求の範囲】
【請求項１】
塗膜と基材テープからなる転写テープを繰出コアから繰り出し、転写ヘッドで前記塗膜を被転写体に押圧して転写し、残った基材テープを巻取コアに巻き取る塗膜転写具であって、前記両コアを連動回転させる連動機構を有する塗膜転写具において、
前記連動機構の巻き取り初期のスリップ率を３４％以上に設定したことを特徴とする、
塗膜転写具。
【発明の詳細な説明】
【０００１】
【発明の属する技術分野】
本発明は、文字修正用塗膜、接着用粘着膜、装飾用塗膜等を被転写体に押圧転写するための塗膜転写具の技術分野に属する。
【０００２】
【従来の技術】
図４は、従来の塗膜転写具の概略構成を示し、図４（ａ）はケースを省略した概略上面図、図４（ｂ）は図４（ａ）のｂ−ｂ線断面図である。
この塗膜転写具１０は、支軸４２，４４を具えたケース４０、ケース４０から外部に突出する転写ヘッド５０、各支軸に回転可能に嵌合された繰出コア２０と巻取コア３０、及び基材テープ表面に塗膜が塗布された転写テープＴからなる。
転写テープＴは繰出コア２０に巻き回されており、転写ヘッド５０において被転写体（図示せず。）に塗膜を押圧転写した後、残った基材テープが巻取コア３０に巻き取られるようになっている。
繰出コア２０と巻取コア３０とが連動して回転するように、両コア２０，３０にはゴムベルトＢが掛け回され、これによって両コアの連動機構が構成されている。
【０００３】
この連動機構は、転写テープＴのたるみを防ぐため、常に巻き取り長さが繰り出し長さより長くなるように回転連動している。繰り出し長さより巻き取り長さの方が長いため、転写テープＴには大きな引張り力がかかるが、連動機構の部品同士がスリップすることによって、転写テープＴには過大な力がかからないようになっている。
【０００４】
連動機構がスリップするときのトルクを「スリップトルク」と呼ぶ。このスリップトルクの値は、支軸４２，４４とコア２０，３０の接触状況、各部品の変形、製作精度のばらつき等によって周期的に変動するが、このスリップトルクが一定値より小さくなると、巻取コア３０が押圧転写後の基材テープを巻き取ることができなくなり、転写テープＴがたるんでしまう。このときのスリップトルクの値を「巻取限界値」と呼び、図２の符号Ｌで示す。
図２では、符号Ａで示す部分において転写テープＴの巻取りが不能になる。この現象は、特に、スリップ率（後述する。）が低く変動の周期が緩やかである巻き取り初期に発生しやすい。
【０００５】
塗膜転写具１０の使用中に転写テープＴがたるまないようにするため、従来では、スリップトルクが変動しても巻取限界値Ｌ以下にならないようにスリップトルクの平均値を高く設定すること（図３の（ａ）参照。）や、部品精度や組立精度を向上させて、スリップトルクの変動幅をできるだけ小さくし巻取限界値Ｌ以下にならないようにすること（図３の（ｂ）参照。）で対応していた。
【０００６】
【発明が解決しようとする課題】
しかし、前者の場合は、巻き取り終期では、繰出コア２０の転写テープＴの巻き径が小さくなり、繰出コア２０から転写テープＴを繰り出すために大きな力が必要になるという欠点がある。後者の場合は、スリップトルクの変動幅を小さくするために、高精度の部品や潤滑剤等の特殊材料が必要となり、その分、製造コストが嵩むという問題がある。
【０００７】
【課題を解決するための手段】
本発明は、塗膜と基材テープからなる転写テープを繰出コアから繰り出し、転写ヘッドで前記塗膜を被転写体に押圧して転写し、残った基材テープを巻取コアに巻き取る塗膜転写具であって、前記両コアを連動回転させる連動機構を有する塗膜転写具において、前記連動機構の巻き取り初期のスリップ率を３４％以上に設定した塗膜転写具によって、上記の課題を解決した。
【０００８】
【作用】
本発明では、塗膜転写具の連動機構の巻き取り初期のスリップ率を３４％以上にしたので、スリップトルクの変動周期が短くなり、使用中にスリップトルクが巻取限界値以下に低下する時間が少なくなり、結果的に、全使用期間に亘って、転写テープのたるみが防止される。
【０００９】
【発明の実施の形態】
図４は、連動機構としてベルト駆動を採用した塗膜転写具１０の例である。本発明もこのような塗膜転写具について実施されるので、便宜的に図４を参照して本発明を説明する。
【００１０】
上述したように、このような塗膜転写具１０では、巻取コア３０に巻き取られる基材テープの長さ（巻き取り長さ）が、繰出コア２０から繰り出される転写テープＴの長さ（繰し出し長さ）より長くなるように設計され、その差により、使用中の転写テープＴに張力が与えられ、転写テープＴがたるまないようになっている。
【００１１】
繰り出し長さに対する巻き取り側の余分に巻き取られる長さの比率を「スリップ率」と呼び、従来の塗膜転写具では、巻き取り初期のスリップ率は、コーター等の一般機械と同じように、１０％程度に設定されていた（実用新案登録第2532967号参照）。
図４（ｂ）に示すように、繰出コア２０に巻き回された転写テープＴの外径をＤ１、繰出コア２０のベルト装着部の外径をＤ２、巻取コア３０の外径をｄ１、巻取コア３０のベルト装着部の外径をｄ２とすると、減速比はＤ２／ｄ２であり、この塗膜転写具１０のスリップ率Ｓは、
Ｓ（％）＝（（ｄ１／Ｄ１×Ｄ２／ｄ２）−１）×１００
と表される。
【００１２】
繰出コア２０のベルト装着部の外径Ｄ２、巻取コア３０の外径ｄ１、及び巻取コア３０のベルト装着部の外径ｄ２は一定であるから、塗膜転写具１０のスリップ率Ｓは、繰出コア２０に巻き回された転写テープＴが繰り出されることによって変化するものであり、塗膜転写具１０の使用開始直後に最も小さく、転写テープＴが繰り出されるに従って次第に増加することが分かる。
【００１３】
発明者は、巻き取り初期のスリップ率と転写テープのたるみの発生との関係を知るべく、以下のような実験を行なった。
すなわち、繰出コアに巻き回された転写テープ外径Ｄ１が２１（ｍｍ）、繰出コアのベルト装着部外径Ｄ２が１６．５（ｍｍ）、巻取コアのベルト装着部外径ｄ２が５．６（ｍｍ）、ベルトがスリップするときのスリップトルクの変動の平均値が１００（ｇｆ・ｃｍ）である塗膜転写具において、巻取コア外径ｄ１を変化させることによってスリップ率を変化させ、たるみの発生がどのように変わるかを観察した。
それぞれの塗膜転写具について３０回ずつ転写して、巻き取り初期に発生する転写テープＴのたるみについて観察した結果を表１に示す。
【表１】
0004423439.tif 000002
表１から、巻き取り初期のスリップ率Ｓが小さい程多くのたるみが発生し、スリップ率Ｓが３３．３％以上になると転写テープはたるまないことが分かる。
従って、このような塗膜転写具において、巻き取り初期のスリップ率を３４％以上になるように設定すれば、転写テープはたるまないことが分かる。
【００１４】
この巻き取り初期のスリップ率Ｓを大きくするためには、
１、繰出コアに巻き回された転写テープの外径Ｄ１を小さくする。
２、繰出コアのベルト装着部の外径Ｄ２を大きくする。
３、巻取コアの外径ｄ１を大きくする。
４、巻取コアのベルト装着部の外径ｄ２を小さくする。
という手段がある。
【００１５】
このように、塗膜転写具の巻き取り初期のスリップ率Ｓを３４％以上に設定すると転写テープはたるまない理由としては、以下のようなことが考えられる。
【００１６】
すなわち、塗膜転写具の巻き取り初期のスリップ率Ｓを３４％以上に設定するとスリップトルクの変動周期が短くなり、塗膜転写具の使用中にスリップトルクが巻取限界値Ｌを下回ってもすぐに上昇するということである。すなわち、図１の符号Ａで示すように、スリップトルクが巻取限界値を下回る時間が短いため、使用中に問題とならず、転写テープＴがたるまなくなるということである。
また、このような方法であれば、スリップトルクの値を大きくする必要がないので、最後まで比較的小さな押圧力で転写することができるということになる。
さらに、スリップトルクの変動幅を小さくする必要もないので、高精度の部品や潤滑剤等が不要であり、製造コストを抑えることができる。
【００１７】
なお、繰出コア２０と巻取コア３０をギヤで連動させる塗膜転写具（図示せず。）の場合も、同様にして、転写テープのたるみを防止することができる。
【００１８】
【発明の効果】
本発明の塗膜転写具は、上記構成により、転写テープがたるむことなく、しかも、比較的小さな押圧力で最後まで使用することができるという効果を奏する。
また、高精度の部品等を使用する必要がないから、製造コストを抑えることができる。
【図面の簡単な説明】
【図１】  本発明を実施した塗膜転写具におけるスリップトルクと時間の関係を示す図。
【図２】  従来の塗膜転写具におけるスリップトルクと時間の関係を示す図。
【図３】  転写テープのたるみを防止した従来の塗膜転写具において、スリップトルクと時間の関係を示す図。
【図４】  ベルト駆動方式の塗膜転写具の構成を示し、図（ａ）はケースを省略した概略上面図、図（ｂ）は図４（ａ）のｂ−ｂ線断面図。
【符号の説明】
１０：塗膜転写具
２０：繰出コア
３０：巻取コア
５０：転写ヘッド
Ｔ：転写テープ
Ｂ：ベルト（連動機構）
【図１】
0004423439.tif 000003
【図２】
0004423439.tif 000004
【図３】
0004423439.tif 000005
【図４】
0004423439.tif 000006